(57)【要約】【課題】ケーブル等を介してＲＦ信号を伝達せずに、直接コネクタを介して次段のチューナにＲＦ信号を伝達できるテレビジョンチューナを提供しようとする。【解決手段】テレビジョンチューナ１０は、テレビジョンチューナ本体１１と、ＲＦ入力端子１２と、ＲＦ分配出力端子１３と、プリント基板に挿入し、信号パターンとの接続を行う接続ピン１４と、を備えて構成されており、チューナ１０と次段のチューナ１５は、ケーブル又はパターンで接続されるのではなく、直接、ＲＦ分配出力端子１２と次段のチューナのＲＦ入力端子１７が嵌合し、接続している構造となっている。【選択図】図２
2007124248.tif 000002
【特許請求の範囲】
【請求項１】
ＲＦ信号を入力するＲＦ入力端子と、入力した前記ＲＦ信号を別のテレビジョンチューナに分配する分配器と、該分配器から分配された前記ＲＦ信号を前記別のテレビジョンチューナに出力するためのＲＦ分配出力端子と、を備えたテレビジョンチューナであって、
前記テレビチューナの筐体の正面に設けられた前記ＲＦ入力端子とは異なる筐体面に前記ＲＦ分配出力端子を設け、該ＲＦ分配出力端子と前記別のテレビジョンチューナのＲＦ入力端子とを嵌合し、ケーブルを介することなく、ＲＦ信号を授受することを特徴とするテレビジョンチューナ。
【請求項２】
前記テレビチューナの前記筐体が直方体であり、前記ＲＦ入力端子は、前記筐体の正面に設けられ、前記ＲＦ分配出力端子は、前記ＲＦ入力端子が設けられた前記筐体の正面と相対する反対側の裏面に設けられたことを特徴とする請求項１に記載のテレビジョンチューナ。
【請求項３】
前記ＲＦ分配出力端子は、メス又はオス型のコネクタであり、前記別のテレビジョンチューナのＲＦ入力端子と嵌合する際に、挿入のみで嵌合し、ロックすることを特徴とする請求項１又は請求項２に記載のテレビジョンチューナ。
【請求項４】
前記別のテレビジョンチューナのＲＦ入力端子と分離する際に、ワンタッチで、ロックを解除することを特徴とする請求項３に記載のテレビジョンチューナ。
【請求項５】
前記ＲＦ分配出力端子及び前記ＲＦ入力端子は、前記筐体の底辺から同じ高さの位置にそれぞれ配置したことを特徴とする請求項１に記載のテレビジョンチューナ。
【発明の詳細な説明】
【技術分野】
【０００１】
本発明は、ＲＦ入力端子及びＲＦ分配出力端子を備えたテレビジョンチューナの構造に関する。
【背景技術】
【０００２】
近年、デジタル放送化への移行段階（アナログ放送からデジタル放送への移行過渡期）において、テレビジョンチューナ（以下、単にチューナと呼ぶ）を複数台搭載するテレビジョン装置を代表とするＡＶ機器が増えてきている。複数台の構成として、例えば、回路規模や回路構成が異なるアナログ放送用チューナとデジタル放送用チューナの組み合わせや２台のデジタル放送用チューナの組み合わせ等の構成があげられる。
【０００３】
従来、複数台のチューナをＡＶ機器内に内蔵する場合、初段のチューナにＲＦ分配出力機能を有するＲＦ分配器を内蔵したチューナを用い、そのＲＦ分配出力端子から出力されるＲＦ信号をＡＶ機器の外側でケーブルを介して、２台目のチューナのＲＦ入力端子に入力して、初段のチューナのＲＦ信号を伝達させる方法が一般的である。
【０００４】
ここで、上記ＲＦ分配器を内蔵したチューナの構成及びＲＦ信号の流れについて説明する。
【０００５】
図４は、ＲＦ分配器を内蔵し、ＲＦ分配出力端子４３を有する従来のチューナ４０の概観図である。
【０００６】
また、図５は、チューナ４０の本体部４１の回路ブロック構成図の例である。
【０００７】
図４に示すように、チューナ４０は、ＲＦ端子４２にアンテナケーブルを接続して、ＲＦ信号を入力し、内蔵されているＲＦ分配器により分岐されたＲＦ信号をＲＦ分配出力端子４３から出力するようになっている。なお、ピン４４は、後述する例に示すプリント基板にチューナ４０を搭載する際の各種信号や電源の接続ピンである。
【０００８】
図５に示すように、アンテナケーブルからのＲＦ信号は、チューナ本体４１のＲＦ端子４２に入力され、ハイパスフィルタ５０で低域の不要な信号を除去された後、ＲＦアンプ５１に入力される。このＲＦアンプ５１の出力は、ＲＦ分配器５２に入力され、２つのＲＦ信号に分配される。１つのＲＦ信号は、チューナ内部回路５３に入力され、他方のＲＦ信号は、ＲＦ分配出力端子４３に出力される。
【０００９】
ここで、ＲＦアンプ５１は、ハイパスフィルタ５０及びＲＦ分配器５２におけるゲインの損失を補うものである。
【００１０】
次に、上述した初段のチューナ４０に設けられたＲＦ分配出力端子４３から出力されるＲＦ信号を次段のチューナのＲＦ入力端子に入力するための従来の具体的な接続例について説明する。
【００１１】
図６は、図４に示した初段チューナ４０のＲＦ分配出力端子４３と、次段のチューナのＲＦ入力端子とを接続した例を示した図である。
【００１２】
図６に示すように、それぞれのチューナ４０、６０の上記各端子をＡＶセットの背面パネル面６１から突き出た状態で、それぞれのチューナ４０、６０は、セット内に設置される。ユーザは、アンテナからのケーブル６２を初段チューナのＲＦ入力端子４２に接続する。さらに、ＲＦ分配出力端子４３と次段のチューナのＲＦ入力端子６２とをケーブル６３で接続する。このようにして、アンテナからのＲＦ信号は、ケーブル６３を介して次段のチューナに伝達される。
【００１３】
また、上記ＲＦ分配器がない構成のチューナもあり、このようなチューナの場合には、各チューナのＲＦ入力端子にそれぞれ別々にアンテナからのケーブルを直接接続する構成としていた。
【００１４】
図７は、ＲＦ入力端子のみ有するチューナをＡＶ機器内に２台内蔵した場合の構成を示す図である。
【００１５】
図７に示すように、ユーザにより、１つのアンテナからのケーブルを一旦、アンテナのケーブル側に設けられている分配器（図示していない）を介して分岐した２つのケーブル７２、８２をそれぞれのチューナ７０、８０のＲＦ入力端子７１、８１に接続する作業が必要であり、ＡＶ機器外部に上記した分配器を用意する必要もある。さらに、２つのアンテナが独立に存在する場合には、それぞれのケーブルを引き回すことになるという煩雑性がある。
【００１６】
次の従来例について図８を用いて説明する。
【００１７】
図８は、初段チューナの筐体の上面部に設けられたＲＦ分配出力端子と次段のチューナのＲＦ入力端子とをケーブルを介して接続を示す図である。
【００１８】
図８に示すように、図６と同様に、ＲＦ分配端子８２と次段のチューナのＲＦ入力端子８４がケーブルで接続されるが、図６に示す接続と異なる点は、ＲＦ分配端子８２がチューナ８０の上面部に取り付けられた構造となっているため、当然、接続ケーブル８６はセットの内部に含まれることになり、このケーブルの接続は、ＡＶセットの生産時の組み立て工程で行う点が異なる。しかしながら、いずれのケースでもケーブルを介して、ＲＦ信号の伝達が行われる。
【００１９】
最後に、次の従来例について図９を用いて説明する。
【００２０】
図９は、初段チューナのＲＦ分配出力ピンと次段のチューナのＲＦ入力ピンとをプリント基板のパターンにより接続を示す図である。
【００２１】
図９に示すように、初段チューナ９０は、ＲＦ入力端子９１にアンテナからのＲＦ信号を入力し、内蔵されているＲＦ分配器（図示していない）からのＲＦ信号出力をプリント基板のパターンと接続する入出力ピンの一つ（ＲＦ信号出力９５ピンという）に出力する。ＲＦ信号出力ピン９５に出力されたＲＦ信号は、プリント基板９７のパターン９４を介して、次段のチューナ９３のＲＦ信号入力ピン９６に入力し、ＲＦ信号を伝達する。
【００２２】
上記種々のＲＦ信号の伝達手段として種々の従来例を示したが、図６及び図８に示す例では、ＲＦ信号の伝達手段として、ケーブルを使用している。また、図９の例では、基板のパターンによりＲＦ信号の伝達手段としている。
【発明の開示】
【発明が解決しようとする課題】
【００２３】
しかし、上記の従来例では、以下の技術的問題点がある。
【００２４】
ケーブル又はパターンによるＲＦ信号の伝達方法では、ケーブル又はパターンによる挿入損失やノイズの飛び込みが発生しやすい。これにより、ＲＦ信号のＣ／Ｎ劣化の原因となるという問題点がある。
【００２５】
また、図６の例では、ユーザにより、ケーブルの接続を行う必要があり、操作性が煩雑になる。図８の例では、製造工程中に行う必要があり、製造コストの増加につながる。
【００２６】
本発明は、上記従来の問題点に鑑みて提案されたものであって、ケーブル等を介してＲＦ信号を伝達せずに、直接コネクタを介して次段のチューナにＲＦ信号を伝達できるテレビジョンチューナを提供しようとするものである。
【課題を解決するための手段】
【００２７】
上記課題を解決するために、本発明に係るテレビジョンチューナは、以下の特徴を備えている。
【００２８】
本発明に係るテレビジョンチューナは、ＲＦ信号を入力するＲＦ入力端子と、入力した前記ＲＦ信号を別のテレビジョンチューナに分配する分配器と、該分配器から分配された前記ＲＦ信号を前記別のテレビジョンチューナに出力するためのＲＦ分配出力端子と、を備えたテレビジョンチューナであって、前記テレビチューナの筐体の正面に設けられた前記ＲＦ入力端子とは異なる筐体面に前記ＲＦ分配出力端子を設け、該ＲＦ分配出力端子と前記別のテレビジョンチューナのＲＦ入力端子とを嵌合し、ケーブルを介することなく、ＲＦ信号を授受することを特徴とする。
【００２９】
また、本発明に係るテレビジョンチューナにおいて、前記テレビチューナの前記筐体が直方体であり、前記ＲＦ入力端子は、前記筐体の正面に設けられ、前記ＲＦ分配出力端子は、前記ＲＦ入力端子が設けられた前記筐体の正面と相対する反対側の裏面に設けられたことを特徴とする。
【００３０】
また、本発明に係るテレビジョンチューナにおいて、前記ＲＦ分配出力端子は、メス又はオス型のコネクタであり、前記別のテレビジョンチューナのＲＦ入力端子と嵌合する際に、挿入のみで嵌合し、ロックすることを特徴とする。
【００３１】
また、本発明に係るテレビジョンチューナは、前記別のテレビジョンチューナのＲＦ入力端子と分離する際に、ワンタッチで、ロックを解除することを特徴とする。
【００３２】
また、本発明に係るテレビジョンチューナにおいて、前記ＲＦ分配出力端子及び前記ＲＦ入力端子は、前記筐体の底辺から同じ高さの位置にそれぞれ配置したことを特徴とする。
【発明の効果】
【００３３】
以上説明したように、本発明に係るテレビジョンチューナによれば、ケーブル又はパターンによる接続を行う必要はなく、挿入損失やノイズの飛び込みが発生しにくく、ＲＦ信号のＣ／Ｎ劣化を防止することが可能である。
【００３４】
また、本発明に係るテレビジョンチューナによれば、ケーブル又はパターンによる接続を行う必要がないため接触不良も少なく、信頼性が高く、設計・製造コストを安価なものにすることが可能である。
【発明を実施するための最良の形態】
【００３５】
以下、本発明に係るテレビジョンチューナの実施形態について添付図面を参照して説明する。
【００３６】
図１〜図３は発明を実施形態の一例であって、図中、同一の符号を付した部分は同一物を表わし、基本的な構成は図４〜図９に示す従来のものと同様である。
【００３７】
図１は、本発明に係るテレビチューナの基本概観図である。
【００３８】
同図において、テレビジョンチューナ１０は、テレビジョンチューナ本体１１と、ＲＦ入力端子１２と、ＲＦ分配出力端子１３と、プリント基板に挿入し、信号パターンとの接続を行う接続ピン１４と、を備えて構成されている。
【００３９】
なお、テレビジョンチューナ本体のＲＦ分配器に関連する回路構成については、図５で示した従来例と同じ構成であるので、説明は省略する。
【００４０】
図１に示すように、テレビジョンチューナ１０は、通常、直方体の形状を有し、正面の端面側にＲＦ入力端子１２が配置されており、その反対側の端面に、ＲＦ分配出力端子１３が、底面からＲＦ入力端子１２と同じ高さの位置に配置されている。
【００４１】
上記の理由として、次段のチューナは、ＲＦ入力端子の高さ位置を本願発明のチューナのＲＦ入力端子の高さ位置と同じ位置に合せて、設計・製造されるのが通例であり、設計・製造コストを安価なものにすることが可能である。
【００４２】
次に、本願発明のチューナ１０と次段のチューナ１５を連結した場合の構造について、図２及び図３を用いて説明する。
【００４３】
図２は、本願発明のチューナ１０と次段のチューナ１５を連結した場合の概略構造図であり、図３は、さらに、アンテナケーブルとセットの背面パネルとの関係を含めた構造を示す斜視図である。
【００４４】
図２に示すように、明らかに、チューナ１０と次段のチューナ１５は、ケーブル又はパターンで接続されるのではなく、直接、ＲＦ分配出力端子１２と次段のチューナのＲＦ入力端子１７が嵌合し、接続している構造となっている。
【００４５】
ここで、ＲＦ分配出力端子１２と次段のチューナのＲＦ入力端子１７は、コネクタであって、オス／メスの関係にある。
【００４６】
例えば、ＲＦ分配出力端子１２がオスのコネクタであり、一方、ＲＦ入力端子１７がメスのコネクタであった場合、ＲＦ入力端子１７を挿入することのみで、両者のコネクタがロックする機構を有する。逆に、ロックを解除する場合は、ワンタッチで、ロックを解除する機構を有し、両者のコネクタは、分離することができる。
【００４７】
図２では、チューナ１０と次段のチューナ１５は、直列の配置構造となっているが、ＲＦ分配出力端子１２をＲＦ入力端子１１に対して、直角方向のどちらかの端面に配置して、チューナ１０と次段のチューナ１５を直角方向に連結するように配置してもよい。
【００４８】
なお、図３に示したように、セットの背面パネル６１から突き出したＲＦ入力端子１１にアンテナケーブル７２を接続して、ＲＦ信号を入力する構造は、図６と同様である。
【００４９】
このようにして、端子の直結結合により、ケーブル等の減衰や、ノイズの軽減を図り、Ｃ／Ｎ比の劣化を防止することが可能であり、接触不良も少なく、信頼性が高く、設計・製造コストを安価なものにすることができる。
【００５０】
尚、本発明に係るテレビジョンチューナは、上記した実施の形態に限定されるものではなく、本発明の要旨を逸脱しない範囲内において種々変更を加え得ることは勿論である。
【図面の簡単な説明】
【００５１】
【図１】本発明に係るテレビチューナの基本概観図である。
【図２】本願発明のチューナ１０と次段のチューナ１５を連結した場合の概略構造図である。
【図３】アンテナケーブルとセットの背面パネルとの関係を含めた構造を示す斜視図である。
【図４】ＲＦ分配器を内蔵し、ＲＦ分配出力端子４３を有する従来のチューナ４０の概観図である。
【図５】チューナ４０の本体部４１の回路ブロック構成図の例である。
【図６】図４に示した初段チューナ４０のＲＦ分配出力端子４３と、次段のチューナのＲＦ入力端子とを接続した例を示した図である。
【図７】ＲＦ入力端子のみ有するチューナをＡＶ機器内に２台内蔵した場合の構成を示す図である。
【図８】初段チューナの筐体の上面部に設けられたＲＦ分配出力端子と次段のチューナのＲＦ入力端子とをケーブルを介して接続を示す図である。
【図９】初段チューナのＲＦ分配出力ピンと次段のチューナのＲＦ入力ピンとをプリント基板のパターンにより接続を示す図である。
【符号の説明】
【００５２】
１０、４０、６０、８０、８３、９０、９３  テレビジョンチューナ
１１、４１  テレビジョンチューナ本体
１２、１７、４２、６２、８１、９１  ＲＦ入力端子
１３、４３、８２  ＲＦ分配出力端子
１４、１６、４４  接続ピン
１５  次段のテレビジョンチューナ
５０  ハイパスフィルタ
５１  ＲＦアンプ
５２  ＲＦ分配器
５３  チューナ内部回路
６２、８５、９２  アンテナケーブル
６３、８６  ケーブル
９４  パターン
９５  ＲＦ信号出力ピン
９６  ＲＦ信号入力ピン
９７  プリント基板
【図１】
2007124248.tif 000003
【図２】
2007124248.tif 000004
【図３】
2007124248.tif 000005
【図４】
2007124248.tif 000006
【図５】
2007124248.tif 000007
【図６】
2007124248.tif 000008
【図７】
2007124248.tif 000009
【図８】
2007124248.tif 000010
【図９】
2007124248.tif 000011